(57)【特許請求の範囲】
【請求項１】
弁箱の上部に、該弁箱に連通する開口部を備えた弁体収容部を連設し、前記開口部を介して弁体収容部と弁箱とに移動可能な弁体を設け、弁体を弁体収容部に収容したときに全開状態となり、弁体を弁箱内に下降させて該弁体に装着されたシール材を弁箱内に設けた弁座に当接させたときに全閉状態となる仕切弁において、
前記弁体は、弁本体と、該弁本体に設けられたシール材装着部に装着される前記シール材と、前記弁本体に取り付けられて弁本体との間で前記シール材を挟持するシール材保持部材とを備え、
前記弁本体には、前記シール材保持部材を保持する弁本体側係合部が設けられ、該弁本体側係合部は、前記弁本体の側面に突設された弁本体側係合片を有し、
前記シール材保持部材には、前記弁本体側係合片を挿通する係合片挿通孔及び該係合片挿通孔に隣接して設けられた保持部材側当接面を有する保持部材側係合部が設けられ、
前記弁本体側係合片は、前記係合片挿通孔を通って前記シール材保持部材の外面に突出する係合片先端部を有し、該係合片先端部は、前記保持部材側当接面に当接する方向に向かって変形可能に形成され、
変形した前記係合片先端部が前記保持部材側当接面に当接した状態で、前記シール材を前記弁本体の側面に固定した
ことを特徴とするソフトシール仕切弁。
【請求項２】
弁箱の上部に、該弁箱に連通する開口部を備えた弁体収容部を連設し、前記開口部を介して弁体収容部と弁箱とに移動可能な弁体を設け、弁体を弁体収容部に収容したときに全開状態となり、弁体を弁箱内に下降させて該弁体に装着されたシール材を弁箱内に設けた弁座に当接させたときに全閉状態となる仕切弁において、
前記弁体は、弁本体と、該弁本体に設けられたシール材装着部に装着される前記シール材と、前記弁本体に取り付けられて弁本体との間で前記シール材を挟持するシール材保持部材とを備え、
前記弁本体には、前記シール材保持部材を保持する弁本体側係合部が設けられ、
該弁本体側係合部は、前記弁本体の側面から弁本体外周側に向かって突出した突出部の弁本体側の面に設けられた弁本体側当接面を有し、
前記シール材保持部材には、保持部材側係合部が設けられ、
該保持部材側係合部は、前記シール材保持部材から前記突出部の突出方向先端側に向かって突出する保持部材側係合片と、該シール材保持部材の外面に突出して前記保持部材側係合片を前記弁本体側当接面に当接する方向に向かって変形可能な係合片変形用部材とを有し、
変形した前記保持部材側係合片が前記弁本体側当接面に当接した状態で、前記シール材を前記弁本体の側面に固定した
ことを特徴とするソフトシール仕切弁。
【請求項３】
前記弁座を含む弁箱及び前記弁本体に、粉体塗装膜が形成されていることを特徴とする請求項１又は２記載のソフトシール仕切弁。
【請求項４】
前記弁本体のシール材装着部と前記シール材とに、互いに係止してシール材の位置決めを行う係止部が設けられていることを特徴とする請求項１乃至３のいずれか１項記載のソフトシール仕切弁。
【発明の詳細な説明】
【技術分野】
【０００１】
本発明は、ソフトシール仕切弁に関し、詳しくは、弁本体の所定位置にシール材を装着した弁体を、管路を横切る方向に移動させて弁の開閉を行うソフトシール仕切弁における弁本体へのシール材の固定構造に関する。
【背景技術】
【０００２】
弁箱の上部に、該弁箱に連通する開口部を備えた弁体収容部を連設し、前記開口部を介して弁体収容部と弁箱とに移動可能な弁体を設け、弁体を弁体収容部に収容したときに開弁状態となり、弁体を弁箱内に下降させて弁本体に設けたシール材の下部を弁箱内周面下半部に当接させるとともに、前記シール材の上部を前記開口部の開口縁に設けた弁座に当接させたときに閉弁状態となる仕切弁が知られている。
【０００３】
前記シール材を弁本体の両面に固定する構造として、弁本体及びシール材の所定位置に複数のボルト挿通孔を形成し、弁本体の両面にシール材をそれぞれ配置して前記ボルト挿通孔にボルトを挿通し、ボルト先端にナットを螺着することにより、ボルト頭とナットとで両シール材を弁本体に固定することが行われている（例えば、特許文献１参照。）。
【先行技術文献】
【特許文献】
【０００４】
【特許文献１】特許第４５１５９０６号公報
【発明の概要】
【発明が解決しようとする課題】
【０００５】
しかし、特許文献１に記載されたシール材の固定構造では、シール材を固定するためのボルトが弁体に形成したボルト挿通孔を貫通しているため、閉弁時にボルト挿通孔を通って流体が下流側に漏れ出すおそれがあった。
【０００６】
そこで本発明は、確実なシール性を得ることができるシール材の固定構造を備えたソフトシール仕切弁を提供することを目的としている。
【課題を解決するための手段】
【０００７】
上記目的を達成するため、本発明のソフトシール仕切弁は、弁箱の上部に、該弁箱に連通する開口部を備えた弁体収容部を連設し、前記開口部を介して弁体収容部と弁箱とに移動可能な弁体を設け、弁体を弁体収容部に収容したときに全開状態となり、弁体を弁箱内に下降させて該弁体に装着されたシール材を弁箱内に設けた弁座に当接させたときに全閉状態となる仕切弁において、前記弁体は、弁本体と、該弁本体に設けられたシール材装着部に装着される前記シール材と、前記弁本体に取り付けられて弁本体との間で前記シール材を挟持するシール材保持部材とを備え、前記弁本体とシール材保持部材とに、いずれか一方が変形することにより係合してシール材保持部材を弁本体に固定する弁本体側係合部と保持部材側係合部とをそれぞれ設けたことを特徴としている。
【０００８】
さらに、本発明のソフトシール仕切弁は、前記弁本体に設けられた弁本体側係合部が弁本体の側面に突設された弁本体側係合片を有し、前記シール材保持部材に設けられた保持部材側係合部が前記弁本体側係合片を挿通する係合片挿通孔と、該係合片挿通孔に隣接して設けられた保持部材側当接面とを有しており、前記弁本体側係合片は、前記係合片挿通孔を通ってシール材保持部材の外面に突出した係合片先端部が前記保持部材側当接面に当接する状態に変形可能に形成されていることを特徴としている。
【０００９】
また、本発明のソフトシール仕切弁は、前記弁本体に設けられた弁本体側係合部が前記弁本体の側面から弁本体外周側に向かって突出した突出部の弁本体側の面に設けられた弁本体側当接面を有し、前記シール材保持部材に設けられた保持部材側係合部が該シール材保持部材から前記突出部の突出方向先端側に向かって突出する保持部材側係合片と、該シール材保持部材の外面に突出して前記保持部材側係合片を前記弁本体側当接面に当接する方向に向けて変形させる係合片変形用部材とを有していることを特徴としている。
【００１０】
さらに、前記弁座を含む弁箱に粉体塗装が施されていること、前記弁本体のシール材装着部と前記シール材とに、互いに係止してシール材の位置決めを行う係止部が設けられていることを特徴としている。
【発明の効果】
【００１１】
本発明のソフトシール仕切弁によれば、シール材保持部材を、弁本体に形成した弁本体側係合部に係合させてリング状のシール材の内周部を保持するようにしているので、弁本体にボルト挿通孔のような貫通孔を設ける必要がなく、閉弁時のシール性を確保することができる。さらに、係合片先端部や係合片を変形させる際の力がシール材を弁本体に押し付ける方向に作用するので、シール材をより確実に弁本体に固定することができる。加えて、シール材をリング状に形成しているので、シール材の材料、特に、ゴムの使用量を少なくすることができる。また、弁座に粉体塗装を施すことにより、耐食性を大幅に向上させて錆の発生を防止することができる。
【図面の簡単な説明】
【００１２】
【図１】本発明のソフトシール仕切弁の第１形態例を示す弁体の側面図である。
【図２】同じく一部断面底面図である。
【図３】図１のIII−III断面図である。
【図４】図１のIV−IV断面図である。
【図５】図１のＶ−Ｖ断面図である。
【図６】閉弁状態としたソフトシール仕切弁を示す断面正面図である。
【図７】開弁状態としたソフトシール仕切弁を示す断面側面図である。
【図８】本発明のソフトシール仕切弁の第２形態例を示す弁体の側面図である。
【図９】同じく底面図である。
【図１０】図８のＸ−Ｘ断面図である。
【図１１】図８のXI−XI断面図である。
【図１２】図８のXII−XII断面図である。
【図１３】本発明のソフトシール仕切弁の第３形態例を示す弁体の側面図である。
【図１４】同じく底面図である。
【図１５】図１３のXV−XV断面図である。
【図１６】図１３のXVI−XVI断面図である。
【図１７】図１３のXVII−XVII断面図である。
【発明を実施するための形態】
【００１３】
まず、図６及び図７に示すように、本形態例に示すソフトシール仕切弁１１は、前後の配管に接続される弁箱１２と、該弁箱１２の上部に開口部１３を介して連設される弁体収容部１４と、前記開口部１３を介して弁体収容部１４と弁箱１２とに弁箱１２の軸線に対して直交する上下方向に移動可能な弁体１５と、前記弁体収容部１４の上部に設けられた操作部１６とを備えている。前記操作部１６に接続されるハンドルなどを操作して弁棒１７により弁体１５を弁体収容部１４に収容したときに全開状態となり、弁体１５を弁箱１２内に下降させたときに全閉状態となる。また、鋳物によって形成した弁箱１２は、弁箱内に設けられる弁座を含めて全体に粉体塗装を施すことにより、弁箱１２の耐久性を大幅に向上させることができる。
【００１４】
図１乃至図５に示すように、弁体１５は、偏平円盤状に形成された金属製の弁本体２１と、該弁本体２１の上部に設けられたコマ収納部２２と、弁本体２１の両側部に設けられたガイド部材装着片２３と、弁本体２１の中央上下方向に設けられた弁棒収納筒部２４と、弁本体２１の上流側及び下流側の両側面に、一対のシール材保持部材２５によって取り付けられたシール材２６とを備えている。前記コマ収納部２２には、前記弁棒１７の雄ネジに螺合する雌ネジ部材（コマ）２７が嵌め込まれ、前記ガイド部材装着片２３には、弁箱１２から弁体収容部１４にわたって設けられたガイド溝１８に摺接するガイド部材２８がそれぞれ取り付けられ、コマ収納部２２の上部通孔には、軸部シール材１９が取り付けられる。また、弁本体２１の周縁部には、シール材２６を装着するためのリング状のシール材装着部２９が設けられるとともに、弁本体２１の側面には、シール材保持部材２５を保持するための弁本体側係合部３０が設けられている。
【００１５】
シール材２６は、全閉状態で弁箱内周面下半部に設けられた下向き円弧状の下部弁座１２ａに当接する下部シール部２６ａと、前記開口部１３の弁体収容部１４側を向いた面にそれぞれ設けられた上向き円弧状の上部弁座１３ａに当接する一対の上部シール部２６ｂと、下部シール部２６ａ及び上部シール部２６ｂの内周側に設けられて弁本体側が前記シール材装着部２９の形状に対応した形状に形成されたリング状取付部２６ｃとを有している。
【００１６】
前記シール材保持部材２５は、リング状の金属板の外周部を、前記シール材装着部２９に装着したシール材２６のリング状取付部２６ｃの外面を保持可能な形状に形成したものであって、前記弁本体側係合部３０に係合してシール材保持部材２５を弁本体２１に固定する保持部材側係合部３１が設けられている。
【００１７】
また、弁本体２１に対するシール材２６の位置決めを行うための係止部として、前記シール材装着部２９の上部側の２箇所には、弁本体内周側に向けて突出した上部係止突部３２ａが設けられるとともに、シール材装着部２９の下部側の２箇所には、弁本体外面側に向けて突出した下部係止突部３２ｂが設けられ、シール材２６のリング状取付部２６ｃには、上部係止突部３２ａに対応した位置に上部係止孔２６ｄが設けられ、下部係止突部３２ｂに対応した位置に下部係止孔２６ｅが設けられている。さらに、シール材保持部材２５には、シール材２６の上部係止孔２６ｄを通って弁本体内周側に突出する上部係止突部３２ａに対応した位置に係止孔２５ａが設けられている。
【００１８】
弁本体２１のシール材装着部２９にシール材２６を装着する際に、上部係止孔２６ｄに上部係止突部３２ａを挿通し、下部係止孔２６ｅに下部係止突部３２ｂを挿通することにより、シール材２６を所定の状態で弁本体２１に装着することができる。また、シール材保持部材２５の係止孔２５ａに上部係止突部３２ａを挿通することにより、シール材保持部材２５の位置決めを図れるとともに、シール材保持部材２５の上部側を弁本体２１に固定した状態にすることができる。
【００１９】
弁本体２１に設けられた弁本体側係合部３０は、前記リング状取付部２６ｃの内周側の弁本体下部側面に突設された２箇所の弁本体側係合片３３を有しており、シール材保持部材２５に設けられた保持部材側係合部３１は、前記弁本体側係合片３３を挿通する係合片挿通孔３４と、該係合片挿通孔３４の内周側に隣接して設けられた保持部材側当接面３５とを有している。前記弁本体側係合片３３は、前記係合片挿通孔３４を通ってシール材保持部材２５の外面に突出した係合片先端部３３ａが前記保持部材側当接面３５に当接する方向に向かって変形可能に形成されており、図５の想像線で示すように、係合片先端部３３ａが保持部材側当接面３５に当接する状態に係合片先端部３３ａを屈曲させることにより、弁本体側係合部３０と保持部材側係合部３１とが係合し、シール材保持部材２５と弁本体２１の側面との間にシール材２６のリング状取付部２６ｃを挟持して弁本体２１の側面にシール材２６を固定した状態になる。さらに、係合片先端部３３ａを屈曲させる方向の力がシール材保持部材２５を弁本体２１の側面に近接させる方向に作用するので、シール材２６を弁本体２１に押し付けた状態で確実に固定することができる。
【００２０】
したがって、本形態例では、弁本体２１のシール材装着部２９に装着したシール材２６の外面側に、弁本体側係合片３３を係合片挿通孔３４に挿通させた状態でシール材保持部材２５を配置した後、係合片先端部３３ａが保持部材側当接面３５に当接する方向に力を加えて係合片先端部３３ａを変形させ、係合片先端部３３ａを保持部材側当接面３５に当接させることにより、弁本体２１の所定の位置に、所定の状態でシール材２６を固定した弁体１５を得ることができる。このようにしてシール材２６を弁本体２１に固定することにより、弁本体２１に従来のようなボルト挿通孔を貫通形成する必要がないので、全閉時のシール性を確保することができ、確実なシール状態を得ることができる。
【００２１】
図８乃至図１２は、本発明のソフトシール仕切弁の第２形態例を示すものである。なお、以下の説明において、弁体以外の構成は、前記第１形態例に示したソフトシール仕切弁と同様に形成することができるので，詳細な図示及び説明を省略するとともに、前記第１形態例に示した弁体部分の構成要素と同一の構成要素には同一の符号を付して詳細な説明は省略する。
【００２２】
本形態例に示す弁体５１は、全体的に前記第１形態例と同様の形状を有するもので、弁本体５２と、第１形態例と略同一形状のシール材２６と、シール材保持部材５３とを備えている。シール材２６は、弁本体５２に形成されたシール材装着部５４に装着され、弁本体５２とシール材保持部材５３との間にリング状取付部２６ｃを挟持された状態で弁本体５２に固定される。
【００２３】
弁本体５２に設けられた弁本体側係合部５５は、弁本体５２の側面の周方向４箇所から弁本体外周側に向かってそれぞれ突出した突出部５６の弁本体側の面に設けられた弁本体側当接面５７を有しており、シール材保持部材５３に設けられた保持部材側係合部５８は、図１２に想像線で示すように、シール材保持部材５３の４箇所から前記突出部５６の突出方向先端側に向かって内側にそれぞれ突出する保持部材側係合片５９と、該保持部材側係合片５９のシール材保持部材５３の外面側に連続して外周方向に屈曲した状態でシール材保持部材５３の外面に突出し、前記保持部材側係合片５９を前記弁本体側当接面５７に当接する方向に向けてそれぞれ変形させる係合片変形用部材６０とを有している。
【００２４】
本形態例においても、弁本体５２のシール材装着部５４に装着したシール材２６の外面側に、保持部材側係合片５９を突出部５６の先端側に向かって挿入するようにしてシール材保持部材５３を配置した後、係合片変形用部材６０に、前記保持部材側係合片５９が突出部５６の弁本体側に回り込んで弁本体側当接面５７に当接する方向に力を加えて、図１２に実線で示すように、保持部材側係合片５９を弁本体側当接面５７に当接させるとともに、係合片変形用部材６０を近傍のシール材２６の突出高さ以下に納めることにより、弁本体側係合部５５と保持部材側係合部５８とが係合し、保持部材側係合片５９を変形させる力によってシール材２６を弁本体５２に押し付けながら、シール材保持部材５３によって弁本体５２の所定の位置に、所定の状態でシール材２６を固定した弁体５１を得ることができる。
【００２５】
図１３乃至図１７は、本発明のソフトシール仕切弁の第３形態例を示すものである。本形態例に示す弁体７１も、全体的に前記第１形態例と同様の形状を有するもので、弁本体７２と、シール材２６と、シール材保持部材７３とを備えている。シール材２６は、弁本体７２のシール材装着部７４に装着され、弁本体７２とシール材保持部材７３との間にリング状取付部２６ｃを挟持された状態で弁本体７２に固定される。
【００２６】
弁本体７２に設けられた弁本体側係合部７５は、弁本体７２の側面上下方向中央部の同一高さ位置の２箇所から弁本体外周側に向かってそれぞれ突出した突出部７６の弁本体側の面に設けられた弁本体側当接面７７を有しており、シール材保持部材７３に設けられた保持部材側係合部７８は、図１６に想像線で示すように、シール材保持部材７３から前記突出部７６の突出方向先端側に向かって内側にそれぞれ突出する保持部材側係合片７９と、該保持部材側係合片７９のシール材保持部材７３の外面側に連続して外周方向に屈曲した状態でシール材保持部材７３の外面に突出し、前記保持部材側係合片７９を前記弁本体側当接面７７に当接する方向に向けてそれぞれ変形させる係合片変形用部材８０とを有している。また、保持部材側係合片７９の両側位置には、弁本体７２の方向に屈曲して弁本体７２に係合するガイド片８１が４箇所に設けられている。
【００２７】
本形態例においても、弁本体７２のシール材装着部７４に装着したシール材２６の外面側に、前記ガイド片８１を弁本体７２の所定位置に係合させながら、保持部材側係合片７９を突出部７６の先端側に向かって挿入するようにシール材保持部材７３を配置した後、係合片変形用部材８０に、前記保持部材側係合片７９が突出部７６の弁本体側に回り込んで弁本体側当接面７７に当接する方向に力を加えて、図１２に実線で示すように、保持部材側係合片７９を弁本体側当接面７７に当接させるとともに、保持部材側係合片７９を変形させる力によってシール材２６を弁本体７２に押し付けながら、係合片変形用部材８０を近傍のシール材２６の突出高さ以下に納めることにより、弁本体側係合部７５と保持部材側係合部７８とが係合し、シール材保持部材７３及びガイド片８１によって弁本体７２の所定の位置に、所定の状態でシール材２６を固定した弁体７１を得ることができる。
【符号の説明】
【００２８】
１１…ソフトシール仕切弁、１２…弁箱、１２ａ…下部弁座、１３…開口部、１３ａ…上部弁座、１４…弁体収容部、１５…弁体、１６…操作部、１７…弁棒、１８…ガイド溝、１９…軸部シール材、２１…弁本体、２２…コマ収納部、２３…ガイド部材装着片、２４…弁棒収納筒部、２５…シール材保持部材、２５ａ…係止孔、２６…シール材、２６ａ…下部シール部、２６ｂ…上部シール部、２６ｃ…リング状取付部、２６ｄ…上部係止孔、２６ｅ…下部係止孔、２７…雌ネジ部材、２８…ガイド部材、２９…シール材装着部、３０…弁本体側係合部、３１…保持部材側係合部、３２ａ…上部係止突部、３２ｂ…下部係止突部、３３…弁本体側係合片、３３ａ…係合片先端部、３４…係合片挿通孔、３５…保持部材側当接面、５１…弁体、５２…弁本体、５３…シール材保持部材、５４…シール材装着部、５５…弁本体側係合部、５６…突出部、５７…弁本体側当接面、５８…保持部材側係合部、５９…保持部材側係合片、６０…係合片変形用部材、７１…弁体、７２…弁本体、７３…シール材保持部材、７４…シール材装着部、７５…弁本体側係合部、７６…突出部、７７…弁本体側当接面、７８…保持部材側係合部、７９…保持部材側係合片、８０…係合片変形用部材、８１…ガイド片
【図１】
0006014360.tif 000002
【図２】
0006014360.tif 000003
【図３】
0006014360.tif 000004
【図４】
0006014360.tif 000005
【図５】
0006014360.tif 000006
【図６】
0006014360.tif 000007
【図７】
0006014360.tif 000008
【図８】
0006014360.tif 000009
【図９】
0006014360.tif 000010
【図１０】
0006014360.tif 000011
【図１１】
0006014360.tif 000012
【図１２】
0006014360.tif 000013
【図１３】
0006014360.tif 000014
【図１４】
0006014360.tif 000015
【図１５】
0006014360.tif 000016
【図１６】
0006014360.tif 000017
【図１７】
0006014360.tif 000018